(57)【要約】【課題】  小型で容易に持ち運ぶことができるとともに、容易に設置し、畳むことができるスクリーンスタンドを提供する。【解決手段】  ミラーフレーム２２を横フレーム１４ａに、脚部２０ａ，２０ｂ及びプロジェクタ台３２を横フレーム１４ｃに折り畳み可能に取着する。また、縦フレーム１２ａ，１２ｂに突設した固定ピン２６、ミラーフレーム２２に突設した固定ピン２８及び固定ステー３０によって、縦フレーム１２ａ，１２ｂとミラーフレーム２２との角度を調整する。さらに、載置台３６に突設した固定ピン、載置台３６に蝶番を介して取り付けられた台脚部３８に突設した固定ピン及び固定ステー４８によって、載置台３６と台脚部３８との角度を調整する。【選択図】      図１
2006292907.tif 000002
【特許請求の範囲】
【請求項１】
プロジェクタから投写される画像を反射鏡に反射させてスクリーンに投影させるリアプロジェクション方式のスクリーンスタンドであって、
本体フレームと、
前記本体フレームにスクリーンを固定させるスクリーン固定部と、
前記本体フレームに取り付けられた反射鏡と、
前記本体フレームに取り付けられ、プロジェクタを載置可能なプロジェクタ台と
を備え、
不使用時に、前記反射鏡及び前記プロジェクタ台は、それぞれ前記スクリーン固定部に固定されるスクリーンに略平行になるように相対位置を変更可能であることを特徴とするスクリーンスタンド。
【請求項２】
請求項１に記載のスクリーンスタンドにおいて、
前記反射鏡及び前記プロジェクタ台の少なくとも一方が、前記本体フレームに回動可能に取り付けられていることを特徴とするスクリーンスタンド。
【請求項３】
請求項１に記載のスクリーンスタンドにおいて、
前記反射鏡は前記本体フレームの上端部に、前記プロジェクタ台は前記本体フレームの下端部に、それぞれ回動可能に取り付けられていることを特徴とするスクリーンスタンド。
【請求項４】
請求項１〜３のいずれか１項に記載のスクリーンスタンドにおいて、
前記プロジェクタ台は、前記スクリーンスタンドに着脱可能に設けられていることを特徴とするスクリーンスタンド。
【請求項５】
請求項１〜４のいずれか１項に記載のスクリーンスタンドにおいて、
前記本体フレームは、第１フレーム部と第２フレーム部とを備え、
前記第２フレーム部は、同第１フレーム部より内径が小さく同第１フレーム部の内部に遊嵌することで伸縮可能に設けられていることを特徴とするスクリーンスタンド。
【請求項６】
請求項１〜５のいずれか１項に記載のスクリーンスタンドにおいて、
前記反射鏡の設置角度を変更可能な第１の変更手段をさらに設けたことを特徴とするスクリーンスタンド。
【請求項７】
請求項１〜６のいずれか１項に記載のスクリーンスタンドにおいて、
前記プロジェクタ台の設置角度を変更可能な第２の変更手段をさらに設けたことを特徴とするスクリーンスタンド。
【請求項８】
請求項１〜７のいずれか１項に記載のスクリーンスタンドにおいて、
前記本体フレームの下端部に、不使用時には同本体フレームと略平行に、かつ、使用時には同本体フレームと略垂直に相対位置を変更可能な一以上の脚部を設けたことを特徴とするスクリーンスタンド。
【請求項９】
請求項１〜７のいずれか１項に記載のスクリーンスタンドにおいて、
前記本体フレームに回動可能に取り付けられた脚部をさらに設け、使用時には、同脚部と前記本体フレームの下端部とで床面に支持されることを特徴とするスクリーンスタンド。
【請求項１０】
請求項１〜９のいずれか１項に記載のスクリーンスタンドにおいて、
前記プロジェクタ台にプロジェクタを覆うカバーをさらに設けたことを特徴とするスクリーンスタンド。
【発明の詳細な説明】
【技術分野】
【０００１】
本発明は、プロジェクタから投写された画像を投影するスクリーンスタンドに関する。
【背景技術】
【０００２】
近年、製品を販売するための営業や、セミナー・講演等で行うプレゼンテーションの際、プロジェクタを使用する機会が増加している。プレゼンテーションの際は、予め作成した画像や動画、コンピュータの画面等をプロジェクタを介してスクリーンに投影し、その投影された画面を聴衆に観察させる。しかし、観察する人数や会場の大きさによって、観察に最適な画面の大きさが異なっていた。
【０００３】
そこで、スクリーンの位置及びサイズを変更可能なプロジェクションテレビが知られている（例えば、特許文献１）。このプロジェクションテレビは、ケースと、ケースの下部に備えられ画像を投写する投写管と、投写管の前面に配設され画像を拡大する投写レンズと、拡大された画像を反射するリフレックスミラーと、ケースの上前面に配設した本体スクリーン及び外部スクリーンから構成されている。そして、少人数で観察する際には本体スクリーンに投写し、大人数で観察する際には本体スクリーンを備えつけの工具等でケースから取り外し、所望位置にセットされた外部スクリーンに投写する。
【特許文献１】特開平３−１６７３号公報
【発明の開示】
【発明が解決しようとする課題】
【０００４】
しかしながら、特許文献１に記載のプロジェクションテレビでは、そもそも装置自体が大型であり持ち運びには向かない。また、このプロジェクションテレビでは、移動用の車両に搭載して持参したり、プレゼンテーションを行う場所で営業マンが一人で容易に設置したり収納したりすることができない。
【０００５】
本発明の目的は、小型で容易に持ち運ぶことができるスクリーンスタンドを提供することにある。また、本発明の目的は、容易に設置し、畳むことができるスクリーンスタンドを提供することにある。
【課題を解決するための手段】
【０００６】
上記問題点を解決するために、本発明のスクリーンスタンドは、プロジェクタから投写される画像を反射鏡に反射させてスクリーンに投影させるリアプロジェクション方式のスクリーンスタンドであって、本体フレームと、前記本体フレームにスクリーンを固定させるスクリーン固定部と、前記本体フレームに取り付けられた反射鏡と、前記本体フレームに取り付けられ、プロジェクタを載置可能なプロジェクタ台とを備え、不使用時に、前記反射鏡及び前記プロジェクタ台は、それぞれ前記スクリーン固定部に固定されるスクリーンに略平行になるように相対位置を変更可能である。
【０００７】
この発明によれば、不使用時に、本体フレームに取り付けられた反射鏡及びプロジェクタを載置可能なプロジェクタ台は、それぞれ本体フレームにスクリーンを固定させるスクリーン固定部に固定されるスクリーンに略平行になるように相対位置を変更可能である。従って、不使用時にスクリーンスタンドが本体フレームとほぼ同じ大きさとなるため、スクリーンスタンドが小型となり、容易に持ち運ぶことができる。
【０００８】
本発明に記載のスクリーンスタンドにおいて、前記反射鏡及び前記プロジェクタ台の少なくとも一方が、前記本体フレームに回動可能に取り付けられている。この発明によれば
、反射鏡及びプロジェクタ台の少なくとも一方を回動させることにより、スクリーンスタンドを容易に畳むことができる。
【０００９】
本発明に記載のスクリーンスタンドにおいて、前記反射鏡は前記本体フレームの上端部に、前記プロジェクタ台は前記本体フレームの下端部に、それぞれ回動可能に取り付けられている。この発明によれば、反射鏡及びプロジェクタ台の少なくとも一方を回動させることにより、スクリーンスタンドを容易に設置し、畳むことができる。
【００１０】
本発明に記載のスクリーンスタンドにおいて、前記プロジェクタ台は、前記スクリーンスタンドに着脱可能に設けられている。この発明によれば、持ち運びの際にプロジェクタ台を取り外すことができるため、スクリーンスタンドを容易に持ち運ぶことができる。
【００１１】
本発明に記載のスクリーンスタンドにおいて、前記本体フレームは、第１フレーム部と第２フレーム部とを備え、前記第２フレーム部は、同第１フレーム部より内径が小さく同第１フレーム部の内部に遊嵌することで伸縮可能に設けられている。
【００１２】
この発明によれば、本体フレームは、第１フレーム部と第２フレーム部とを備え、第２フレーム部は、第１フレーム部より内径が小さく第１フレーム部の内部に遊嵌することで伸縮可能に設けられている。この結果、本体フレームを伸ばすことによってプロジェクタがスクリーンに投影する画面を大きくすることができる。また、本体フレームを縮めることによりスクリーンスタンドを容易に持ち運ぶことができる。
【００１３】
本発明に記載のスクリーンスタンドにおいて、前記反射鏡の設置角度を変更可能な第１の変更手段をさらに設けた。この発明によれば、反射鏡の設置及び位置調整を容易に行うことができる。
【００１４】
本発明に記載のスクリーンスタンドにおいて、前記プロジェクタ台の設置角度を変更可能な第２の変更手段をさらに設けた。この発明によれば、プロジェクタを固定するベルト、設置角度変更用の治具が不要であるため、プロジェクタ台の設置及び位置調整を容易に行うことができる。
【００１５】
本発明に記載のスクリーンスタンドにおいて、前記本体フレームの下端部に、不使用時には同本体フレームと略平行に、かつ、使用時には同本体フレームと略垂直に相対位置を変更可能な一以上の脚部を設けた。この発明によれば、脚部の相対位置を変更するだけでスクリーンスタンドを容易に設置し、畳むことができる。
【００１６】
本発明に記載のスクリーンスタンドにおいて、前記本体フレームに回動可能に取り付けられた脚部をさらに設け、使用時には、同脚部と前記本体フレームの下端部とで床面に支持される。この発明によれば、脚部を回動するだけでスクリーンスタンドを容易に設置し、畳むことができる。
【００１７】
本発明に記載のスクリーンスタンドにおいて、前記プロジェクタ台にプロジェクタを覆うカバーをさらに設けた。この発明によれば、プロジェクタ台にプロジェクタを覆うカバーをさらに設けたので、プロジェクタ台にプロジェクタを取り付けたままスクリーンスタンドを持ち運ぶことができる。この結果、スクリーンスタンドを容易に持ち運ぶことができるとともに、スクリーンスタンドを容易に設置し、畳むことができる。
【発明を実施するための最良の形態】
【００１８】
以下、本発明のスクリーンスタンドを具体化した一実施形態を、図１〜図６に従って説明する。図１は、スクリーンスタンドの斜視図、図２はスクリーンスタンドの要部分解斜
視図、図３はスクリーンスタンドの要部側断面図である。
【００１９】
図１に示すように、スクリーンスタンド１０は、左右一対の本体フレームとしてのスクリーンスタンド本体を構成する縦フレーム１２ａ，１２ｂと、上下３本のスクリーンスタンド本体を構成する横フレーム１４ａ，１４ｂ，１４ｃを備えている。スクリーンスタンド１０は、左右一対の縦フレーム１２ａ，１２ｂが３本の横フレーム１４ａ，１４ｂ，１４ｃを介して連結されてラダー状に形成されている。縦フレーム１２ａ，１２ｂ及び横フレーム１４ａ，１４ｂ，１４ｃは、図２に示すように、それぞれ断面Ｌ字形のアルミアングルであって、スクリーンスタンド１０の裏面には、縦フレーム１２ａ，１２ｂと横フレーム１４ａ，１４ｂに囲まれた正方形のスクリーン固定部としての収容凹部Ｓが配設されている。縦フレーム１２ａ，１２ｂと横フレーム１４ａ，１４ｂの裏面であってその収容凹部Ｓの四隅には、取付手段としての面ファスナーＦ１がそれぞれ固着されている。
【００２０】
そして、前記収容凹部Ｓ内には、四角枠状のスクリーン固定枠１６が嵌め込まれる。図２及び図３に示すように、スクリーン固定枠１６は、断面Ｌ字形の塩化ビニル樹脂で形成された四角枠体であって、それぞれの辺の長さが前記横フレーム１４ａ〜１４ｃより若干短く形成されている。スクリーン固定枠１６の前面には、同スクリーン固定枠１６の前面を覆うようにスクリーン１８が貼着されている。本実施形態では、スクリーン１８は、高視野角タイプであって、外光の影響を受けにくく、明るい場所でも鮮明な画像を実現することができる、所謂グレータイプのスクリーンである。また、このスクリーン固定枠１６の外側の四隅には、面ファスナーＦ２がそれぞれ固着されている。そして、図３に示すように、スクリーン固定枠１６を前記収容凹部Ｓに収容することによって、面ファスナーＦ１と面ファスナーＦ２とが接着され、縦フレーム１２ａ，１２ｂ及び横フレーム１４ａ，１４ｂにスクリーン固定枠１６が固定されるようになっている。
【００２１】
図１に示すように、横フレーム１４ｃの下面には、左右一対の脚部２０ａ，２０ｂが図示しない螺子等で回動可能に取り付けられている。脚部２０ａ，２０ｂは、それぞれ金属板で形成されている。脚部２０ａ，２０ｂは、その外形がそれぞれ略長方形の板状であって、スクリーンスタンド１０を使用しないとき、図６（ｃ）に示すように、この脚部２０ａ，２０ｂはそれらの長手方向が横フレーム１４ｃと平行になる向きに配置されている。そして、スクリーンスタンド１０を使用するとき、図１に示すように、この脚部２０ａ，２０ｂを、それらの長手方向が横フレーム１４ｃと垂直になる向きに回動させることによって、スクリーンスタンド１０は床面に設置され、使用されるようになっている。
【００２２】
また、図１及び図４に示すように、横フレーム１４ａの上面には、ミラーフレーム２２が蝶番２４を介して折り畳み可能に取り付けられている。ミラーフレーム２２は、アルミニウム等の金属の板材で形成されている。ミラーフレーム２２は、その幅がスクリーンスタンド１０の幅と同じであって、その長さが前記スクリーン固定枠１６より若干長く形成されている。また、ミラーフレーム２２は、その厚さが横フレーム１４ａの厚さ（奥行き方向の長さ）と同じ厚さに形成されている。ミラーフレーム２２は、その前面（縦フレーム１２ａ，１２ｂ側）にミラーフレーム２２の前面を覆うようにミラーフィルムＭが貼着されている。本実施形態では、ミラーフレーム２２及びミラーフィルムＭで反射鏡を構成する。縦フレーム１２ａ，１２ｂの側面であって、前記収容凹部Ｓの高さの半分程度の位置には固定ピン２６がそれぞれ突設されている。また、ミラーフレーム２２の両側面であって、ミラーフレーム２２を所定の角度、縦フレーム１２ａ，１２ｂから離間させたときに前記固定ピン２６と対向する位置に、固定ピン２８がそれぞれ突設されている。固定ピン２６には、それぞれ板状の固定ステー３０が回動可能に取着されている。固定ステー３０の先端部には、それぞれ切欠き部Ｈ１，Ｈ２，Ｈ３が形成されており、これら切欠き部Ｈ１，Ｈ２，Ｈ３のいずれかを前記固定ピン２８にそれぞれ嵌合させることによって、ミラーフレーム２２と縦フレーム１２ａ，１２ｂとの角度θ１が調整可能になっている。す
なわち、切欠き部Ｈ１を固定ピン２８に嵌合させたときには角度θ１が最も小さくなり、切欠き部Ｈ３を固定ピン２８に嵌合させたときには角度θ１が最も大きくなる。なお、本実施形態では、固定ピン２６，２８、固定ステー３０及び切欠き部Ｈ１，Ｈ２，Ｈ３で第１の変更手段を構成する。
【００２３】
図１及び図５に示すように、前記横フレーム１４ｃの上面中央には、プロジェクタ台３２が蝶番３４を介して折り畳み可能に取着されている。プロジェクタ台３２は、載置台３６及び台脚部３８を備えている。載置台３６は正方形の平面板から形成されており、その厚みは、縦フレーム１２ａ，１２ｂ及び横フレーム１４ａ〜１４ｃとほぼ同じ厚さで形成されている。載置台３６の基端側には、固定板４０が載置台３６に対して垂直に突出形成されている。この固定板４０は、図１に示すように、載置台３６にプロジェクタＰＪを載置したとき、プロジェクタＰＪが載置台３６から滑り落ちるのを防止可能な高さ及び幅で形成されている。また、載置台３６の背面（縦フレーム１２ａ，１２ｂと反対側）には、台脚部３８が蝶番４２を介して折り畳み可能に取り付けられている。台脚部３８は、長方形の平面板から形成されており、その厚みが前記縦フレーム１２ａ，１２ｂとほぼ同じ厚さで形成されている。載置台３６の両側面下部にはそれぞれ固定ピン４４が突設されている。また、台脚部３８の両側面であって、台脚部３８を所定の角度、載置台３６から離間させたときに前記固定ピン４４と対向する位置に、固定ピン４６がそれぞれ突設されている。固定ピン４４には、それぞれ板状の固定ステー４８が回動可能に取着されている。固定ステー４８の先端部には、それぞれ切欠き部Ｈ４，Ｈ５，Ｈ６が形成されており、これら切欠き部Ｈ４，Ｈ５，Ｈ６のいずれかを前記固定ピン４６に嵌合させることによって、載置台３６と台脚部３８との角度θ２が調整可能になっている。すなわち、切欠き部Ｈ４を固定ピン４６に嵌合させたときには角度θ２が最も小さくなり、切欠き部Ｈ６を固定ピン４６に嵌合させたときには角度θ２が最も大きくなる。なお、本実施形態では、固定ピン４４，４６、固定ステー４８及び切欠き部Ｈ４，Ｈ５，Ｈ６で第２の変更手段を構成する。
【００２４】
そして、図１に示すように、このプロジェクタ台３２（載置台３６）の上にプロジェクタＰＪを、同プロジェクタＰＪの投写レンズＲが前記ミラーフレーム２２側を向くように載置する。そして、画像情報等が図示しない外部装置からプロジェクタＰＪに入力されると、投写レンズＲからその画像情報等に基づいて映像が投写される。そして、その投写レンズＲから投写された映像は、前記ミラーフィルムＭで反射され、前記スクリーン１８の背面から同スクリーン１８に投影される。つまり、前記ミラーフレーム２２と縦フレーム１２ａ，１２ｂとの角度θ１及び前記プロジェクタ台３２と前記台脚部３８との角度θ２の少なくとも一方を前記映像が同スクリーン１８に収まるように調整することにより、前記画像情報等に基づいた映像がスクリーン１８に投影され、観察者がスクリーン１８前面から映像を観察可能になっている。
【００２５】
次に、上記のように構成されたスクリーンスタンド１０の使用方法について図１及び図６（ａ）〜（ｃ）に従って説明する。
まず、プレゼンテーション等が終了してスクリーンスタンド１０を図示しないケース等に収納する際には、スクリーンスタンド１０を折り畳む。すなわち、まず、プロジェクタＰＪをプロジェクタ台３２から取り外し、プロジェクタ台３２の固定ステー４８を回動させて切欠き部Ｈ４（Ｈ５，Ｈ６）を固定ピン４６から離脱させ、図６（ａ）に示すように、載置台３６が前記横フレーム１４ｃと垂直になるように折り畳む。そして、図６（ｂ）に示すように、ミラーフレーム２２の固定ステー３０を回動させて切欠き部Ｈ１（Ｈ２，Ｈ３）を固定ピン２８から離脱させ、ミラーフレーム２２が縦フレーム１２ａ，１２ｂ及び横フレーム１４ａ，１４ｂと接するように折り畳む。最後に、図６（ｃ）に示すように、脚部２０ａ，２０ｂを回動させて横フレーム１４ｃと平行な向きにすることによって、折り畳み作業が終了する。スクリーンスタンド１０はアルミアングル等で形成されている
ため営業マンが一人で支えることのできる重さであって、ミラーフレーム２２、プロジェクタ台３２及び脚部２０ａ，２０ｂを折り畳む構造が簡単であることから、営業マンが一人で容易にこの折り畳み作業を行うことができる。また、このスクリーンスタンド１０を折り畳むことによって、スクリーンスタンド１０の厚みが縦フレーム１２ａ，１２ｂの厚さ（奥行き方向の長さ）とほぼ同じになり、嵩張らないことから、営業マンが一人で容易にスクリーンスタンド１０を持ち運ぶことができる。
【００２６】
次に、折り畳んだ状態のスクリーンスタンド１０を広げて設置する際には、まず、図示しないケースから、図６（ｃ）に示すように折り畳んだ状態のスクリーンスタンド１０を取りだし、図６（ｂ）に示すように、脚部２０ａ，２０ｂがそれぞれ横フレーム１４ｃと垂直になるように回動し、スクリーンスタンド１０を設置する。このとき、スクリーンスタンド１０は営業マンが一人で支えることのできる重さであって、脚部２０ａ，２０ｂは片手で回動可能であるため、容易に脚部２０ａ，２０ｂを回動させ、スクリーンスタンド１０を所望の場所に設置することができる。次に、図６（ａ）に示すように、ミラーフレーム２２を縦フレーム１２ａ，１２ｂから離間させ、固定ステー３０を回動させて切欠き部Ｈ１〜Ｈ３のいずれかと固定ピン２８とを嵌合させることによって、ミラーフレーム２２を設置する。さらに、図１に示すように、プロジェクタ台３２を縦フレーム１２ａから離間する向きに倒し、プロジェクタ台３２の台脚部３８をプロジェクタ台３２から離間させる向きに倒し、固定ステー４８を回動させて切欠き部Ｈ４〜Ｈ６のいずれかと固定ピン４６を嵌合させることによって、プロジェクタ台３２を設置する。
【００２７】
そして、載置台３６（プロジェクタ台３２）の上にプロジェクタＰＪを載置し、上述のようにミラーフレーム２２と縦フレーム１２ａ，１２ｂとの角度θ１及び載置台３６と台脚部３８との角度θ２の少なくとも一方の角度を調整することによって、スクリーン１８にプロジェクタＰＪから投写された映像がスクリーン１８に収まるように投影される。このとき、角度θ１，θ２の調整は、固定ステー３０，４８を切欠き部のいずれに嵌合させるかによって、容易に変えることができるため、スクリーンスタンド１０を容易に設置することができる。
【００２８】
上記実施形態によれば、以下のような効果を得ることができる。
（１）  本実施形態によれば、ミラーフレーム２２を横フレーム１４ａに対して、脚部２０ａ，２０ｂ及びプロジェクタ台３２を横フレーム１４ｃに対して折り畳み可能に取着した。この結果、スクリーンスタンド１０を使用後、脚部２０ａ，２０ｂ、ミラーフレーム２２及びプロジェクタ台３２を折り畳み、縦フレーム１２ａ，１２ｂ及び横フレーム１４ａ〜１４ｃとほぼ同じ厚さとすることができるため、スクリーンスタンド１０が嵩張らない。従って、容易にスクリーンスタンド１０を持ち運ぶことができる。
【００２９】
（２）  本実施形態によれば、脚部２０ａ，２０ｂを図示しない螺子等で横フレーム１４ｃに対して回動可能に取り付けた。この結果、脚部２０ａ，２０ｂが横フレーム１４ｃと平行になる折り畳み状態と、脚部２０ａ，２０ｂが横フレーム１４ｃと垂直になる使用状態とを容易に変更できる。従って、スクリーンスタンド１０の持ち運びが容易となるとともに、同スクリーンスタンド１０を容易に設置し、畳むことができる。
【００３０】
（３）  本実施形態によれば、脚部２０ａ，２０ｂを図示しない螺子等で横フレーム１４ｃに対して回動可能に取り付けた。この結果、構造が簡単であることから、脚部２０ａ，２０ｂの製造に要するコストを低減することができ、ひいてはスクリーンスタンド１０の製造に要するコストを低減することができる。
【００３１】
（４）  本実施形態によれば、縦フレーム１２ａ，１２ｂに突設した固定ピン２６、ミラーフレーム２２に突設した固定ピン２８及び固定ステー３０によって、縦フレーム１２
ａ，１２ｂとミラーフレーム２２との角度θ１を容易に調整することができる。この結果、載置台３６に載置したプロジェクタＰＪのミラーフィルムＭに対する投写角度を容易に調整することができる。従って、スクリーンスタンド１０を容易に設置することができる。
【００３２】
（５）  本実施形態によれば、縦フレーム１２ａ，１２ｂに突設した固定ピン２６、ミラーフレーム２２に突設した固定ピン２８及び固定ステー３０によって、縦フレーム１２ａ，１２ｂとミラーフレーム２２との角度θ１を容易に調整することができる。この結果、構造が簡単であるため、ミラーフレーム２２の製造に要するコストを低減することができ、ひいてはスクリーンスタンド１０の製造に要するコストを低減することができる。
【００３３】
（６）  本実施形態によれば、プロジェクタ台３２は、横フレーム１４ｃに蝶番３４を介して取り付け、プロジェクタ台３２の台脚部３８は載置台３６に蝶番４２を介して取り付けた。この結果、容易にプロジェクタ台３２の折り畳み及び設置をすることができる。
【００３４】
（７）  本実施形態によれば、プロジェクタ台３２は、横フレーム１４ｃに蝶番３４を介して取り付け、プロジェクタ台３２の台脚部３８は載置台３６に蝶番４２を介して取り付けた。この結果、構造が簡単であるため、プロジェクタ台３２の製造に要するコストを低減することができ、ひいてはスクリーンスタンド１０の製造に要するコストを低減することができる。
【００３５】
（８）  本実施形態によれば、載置台３６に突設した固定ピン４４、載置台３６に蝶番４２を介して取り付けられた台脚部３８に突設した固定ピン４６及び固定ステー４８によって、載置台３６と台脚部３８との角度θ２を容易に調整することができる。この結果、載置台３６に載置したプロジェクタＰＪのミラーフィルムＭに対する投写角度を容易に調整することができる。従って、スクリーンスタンド１０を容易に設置することができる。
【００３６】
（９）  本実施形態によれば、載置台３６に突設した固定ピン４４、載置台３６に蝶番４２を介して取り付けられた台脚部３８に突設した固定ピン４６及び固定ステー４８によって、載置台３６と台脚部３８との角度θ２を容易に調整することができる。この結果、構造が簡単であるため、プロジェクタ台３２の製造に要するコストを低減することができ、ひいてはスクリーンスタンド１０の製造に要するコストを低減することができる。
【００３７】
なお、上記実施形態は以下のように変更してもよい。
○上記実施形態では、プロジェクタ台３２の載置台３６と台脚部３８との角度θ２の調整可能としたが、これを調整可能とせず、ミラーフレーム２２と縦フレーム１２ａ，１２ｂとの角度θ１の調整のみとしてもよい。この場合であっても、プロジェクタ台３２は折り畳み可能であるため、スクリーンスタンド１０は小型で持ち運びが容易であるとともに、容易に設置することができる。
【００３８】
○上記実施形態では、プロジェクタ台３２は、横フレーム１４ｃに折り畳み可能に取り付けたが、これを、プロジェクタ台３２を横フレーム１４ｃに取り付けず、別途設置してもよい。すなわち、図７に示すように、プロジェクタ台５２は、設置部５４と載置台５６を備えており、載置台５６は設置部５４に回転軸５８を介して折り畳み可能に取着されている。また、載置台５６には角度調整ステー６０が回転可能に取着されている。角度調整ステー６０の先端部には固定ピン６２が突設されており、角度調整ステー６０が設置部５４に凹設された溝部６４を摺動し、固定ピン６２が切欠き部６６のいずれかと嵌合することによって、設置部５４と載置台５６との角度が調整可能となっている。この場合、上記実施形態では、プロジェクタＰＪをスクリーン１８の背面に配置してスクリーン１８の背面から投写させる、所謂リアプロジェクション方式であったが、プロジェクタＰＪをスク
リーン１８の前面に配置してスクリーン１８の前面から投写させる、所謂フロントプロジェクション方式であってもよい。
【００３９】
○上記実施形態では、縦フレーム１２ａ，１２ｂは一対のアルミアングルで形成され、伸縮不能であったが、床面に垂直な方向に伸縮可能としてもよい。すなわち、例えば、縦フレーム１２ａ，１２ｂは、第１フレーム部とその第１フレーム部より内径が小さい第２フレーム部とを備える。そして、使用状態では第１フレーム部と第２フレーム部とが床面に垂直な方向に連結されて上記実施形態の縦フレーム１２ａ，１２ｂと同じ高さになり、不使用状態では第１フレーム部の内部に第２フレーム部が遊嵌することで縦フレーム１２ａ，１２ｂを上記実施形態の縦フレーム１２ａ，１２ｂの半分の高さに収縮してもよい。これにより、スクリーンスタンド１０を一層、小さく折り畳むことができるので、スクリーンスタンド１０を一層容易に持ち運ぶことができる。また、縦フレーム１２ａ，１２ｂを収縮することによって、スクリーン１８の位置を低くすることができるので、例えば、プロジェクタＰＪを床に設置してスクリーン１８の前面から投写する、所謂床置き型としての使用も可能となる。
【００４０】
○上記実施形態では、縦フレーム１２ａ，１２ｂは一対のアルミアングルで形成され、伸縮不能であったが、床面に垂直な方向に伸縮可能としてもよい。すなわち、例えば、縦フレーム１２ａ，１２ｂは、第１フレーム部とその第１フレーム部より内径が小さい第２フレーム部とを備える。そして、使用状態では第１フレーム部と第２フレーム部とが床面に垂直な方向に連結されて上記実施形態の縦フレーム１２ａ，１２ｂの２倍の高さに伸張され、不使用状態では第１フレーム部の内部に第２フレーム部が遊嵌することで上記実施形態の縦フレーム１２ａ，１２ｂと同じ高さになるようにしてもよい。これにより、スクリーンスタンド１０の奥行き方向の距離を長くすることなく、投写レンズＲからミラーフィルムＭまでの距離を長くすることができるので、使用状態におけるスクリーンスタンド１０の奥行き方向の距離を短くすることができる。また、縦フレーム１２ａ，１２ｂを伸張することによって、スクリーン１８の位置を高くすることができるので、例えば、プロジェクタＰＪを天井に設置してスクリーン１８の前面から投写する、所謂天吊り型としての使用も可能となる。
【００４１】
○上記実施形態では、スクリーン固定枠１６は取り外し可能であるが、これを収容凹部Ｓ内に対して固着してもよい。また、スクリーン固定枠１６を設けずに、収容凹部Ｓ内に直接スクリーン１８を貼着してもよい。
【００４２】
○上記実施形態では、スクリーン固定枠１６は取り外し可能であって、適宜スクリーン１８を変更可能とした。このとき、図８に示すように、使用していないスクリーン１８（スクリーン固定枠１６）を収容凹部Ｓの下部であって、縦フレーム１２ａ，１２ｂ及び横フレーム１４ｂ，１４ｃによって形成されたスクリーン収容部としての収容凹部Ｓ１に収容してもよい。これにより、複数のスクリーン１８を持ち運ぶときにも、容易に持ち運ぶことができる。
【００４３】
○上記実施形態では、スクリーン固定枠１６は縦フレーム１２ａ，１２ｂ及び横フレーム１４ａ，１４ｂによって形成された収容凹部Ｓに収容した。これを、縦フレーム１２ａ，１２ｂ及び横フレーム１４ａ，１４ｂをアルミ角材で形成することによって収容凹部Ｓを設けずに、その縦フレーム１２ａ，１２ｂ及び横フレーム１４ａ，１４ｂで形成された空間を覆うように、スクリーン固定枠１６を取り付けてもよい。また、同様に、縦フレーム１２ａ，１２ｂ及び横フレーム１４ｂ，１４ｃをアルミ角材で形成することによって、収容凹部Ｓ１を設けずに、その縦フレーム１２ａ，１２ｂ及び横フレーム１４ｂ，１４ｃで形成された空間を覆うようにスクリーン固定枠１６を取り付けることによって、不使用のスクリーンを収容してもよい。
【００４４】
○上記実施形態では、ミラーフレーム２２と縦フレーム１２ａ，１２ｂとの角度θ１を調整可能としたが、これを調整可能とせず、プロジェクタ台３２の載置台３６と台脚部３８との角度θ２の調整のみとしてもよい。この場合であっても、ミラーフレーム２２は折り畳み可能であるため、スクリーンスタンド１０は小型で持ち運びが容易であるとともに、容易に設置することができる。
【００４５】
○上記実施形態では、スクリーンスタンド１０の脚部は脚部２０ａ，２０ｂの２本設けたが、脚部は１本でも３本以上であってもよい。
○上記実施形態では、脚部２０ａ，２０ｂを横フレーム１４ｃの下面に図示しない螺子等で回動可能に取り付けられたが、螺子に限定されず、横フレーム１４ｃに対して回動可能に取り付け可能であれば他の構造であってもよい。
【００４６】
○上記実施形態では、脚部２０ａ，２０ｂを横フレーム１４ｃの下面に図示しない螺子等で回動可能に取り付けられたが、これを、縦フレーム１２ａ，１２ｂに対して脚部を折り畳み可能に取り付けてもよい。例えば、図９に示すように、縦フレーム１２ａ，１２ｂに対して脚部６８ａ，６８ｂをそれぞれ蝶番７０を介して折り畳み可能に取り付けてもよいが、これに限定されず、縦フレーム１２ａ，１２ｂに対して折り畳み可能に取り付け可能であれば他の構造であってもよい。これにより、スクリーンスタンド１０を設置したり畳んだりする際、ユーザが屈んで横フレーム１４ｃに取り付けた脚部２０ａ，２０ｂを手で回動させる必要がなく、ユーザが立ったまま脚部６８ａ，６８ｂを縦フレーム１２ａ，１２ｂと離間させたり重ねたりするだけで、脚部を設置し、畳むことができる。従って、スクリーンスタンド１０を容易に設置し、畳むことができる。
【００４７】
○上記実施形態では、スクリーンスタンド１０を折り畳む際、プロジェクタ台３２を折り畳んだ後にミラーフレーム２２を折り畳んだ。これを、ミラーフレーム２２を折り畳んだ後にプロジェクタ台３２を折り畳んでもよい。同様に、上記実施形態では、スクリーンスタンド１０を設置する際、ミラーフレーム２２を設置した後にプロジェクタ台３２を設置したが、プロジェクタ台３２を設置した後にミラーフレーム２２を設置してもよい。
【００４８】
○上記実施形態では、プロジェクタＰＪはスクリーンスタンド１０を使用するときのみプロジェクタ台３２に載置した。これを、載置台３６（プロジェクタ台３２）にプロジェクタＰＪを保護し、プロジェクタ台３２に固定するためのカバーを設け、折り畳み時であってもプロジェクタ台３２にプロジェクタＰＪを載せたままにしてもよい。これにより、プロジェクタＰＪをスクリーンスタンド１０と別に持ち運ぶ必要がなくなるため、一層、容易に持ち運ぶことができる。
【００４９】
以下に、上記実施形態及び各別例から把握できる技術的思想を付記する。
（付記１）
請求項１〜４のいずれか１項に記載のスクリーンスタンドにおいて、前記スクリーン固定部には、スクリーンを着脱可能にするための取付手段が設けられていることを特徴とするスクリーンスタンド。
【００５０】
この発明によれば、持ち運びの際にスクリーンを取り外すことができることから、スクリーンスタンドを容易に持ち運ぶことができる。
（付記２）
請求項１〜４または付記１のいずれか１に記載のスクリーンスタンドにおいて、前記本体フレームの前記スクリーン固定部以外の箇所に、不使用のスクリーンを収容するスクリーン収容部をさらに設けたことを特徴とするスクリーンスタンド。
【００５１】
この発明によれば、本体フレームのスクリーン固定部以外の箇所に、不使用のスクリーンを収容するスクリーン収容部をさらに設けたので、別途、不使用のスクリーンを収容する場所を確保したり、持ち運んだりする必要がない。従って、スクリーンスタンドをコンパクトに設置できるとともに、容易に持ち運ぶことができる。
（付記３）
請求項１〜４または付記１または２のいずれか１に記載のスクリーンスタンドにおいて、前記スクリーン固定部は、スクリーンを固定した際に同スクリーンが本体フレームの中に収容されるように、前記本体フレームに設けられた凹部であることを特徴とするスクリーンスタンド。
【００５２】
この発明によれば、スクリーン固定部は、スクリーンを固定した際にスクリーンが本体フレームの中に収容されるように、本体フレームに設けられた凹部である。この結果、不使用時にスクリーンスタンドの奥行き方向の距離が短くなることから、スクリーンスタンドが嵩張らないため、容易に持ち運ぶことができる。
【図面の簡単な説明】
【００５３】
【図１】本実施形態のスクリーンスタンドの斜視図。
【図２】同じく、スクリーンスタンドの要部分解斜視図。
【図３】同じく、スクリーンスタンドの要部側断面図。
【図４】同じく、縦フレーム及びミラーフレームの要部側面図。
【図５】同じく、プロジェクタ台の側面図。
【図６】同じく、（ａ），（ｂ），（ｃ）はスクリーンスタンドの使用方法を説明する説明図。
【図７】別例のプロジェクタ台の側面図。
【図８】同じく、縦フレーム及び横フレームの背面図。
【図９】同じく、縦フレーム及び脚部の側面図。
【符号の説明】
【００５４】
１０…スクリーンスタンド、１２ａ，１２ｂ…縦フレーム、１４ａ，１４ｂ，１４ｃ…横フレーム、１６…スクリーン固定枠、１８…スクリーン、２０ａ，２０ｂ，６８ａ，６８ｂ…脚部、２２…ミラーフレーム、２４，３４，４２，７０…蝶番、２６，２８，４４，４６，６２…固定ピン、３０，４８…固定ステー、３２，５２…プロジェクタ台、３６…載置台、３８…台脚部、Ｆ１，Ｆ２…面ファスナー、Ｈ１，Ｈ２，Ｈ３，Ｈ４，Ｈ５，Ｈ６，６６…切欠き部、Ｍ…ミラーフィルム、ＰＪ…プロジェクタ、Ｓ，Ｓ１…収納凹部、θ１，θ２…角度。
【図１】
2006292907.tif 000003
【図２】
2006292907.tif 000004
【図３】
2006292907.tif 000005
【図４】
2006292907.tif 000006
【図５】
2006292907.tif 000007
【図６】
2006292907.tif 000008
【図７】
2006292907.tif 000009
【図８】
2006292907.tif 000010
【図９】
2006292907.tif 000011